(57)【要約】【課題】持ち運びが自由にでき、電源設備の無いところにおいても使用でき、常に加湿、加温された暖かい状態の衛生的なウエットタオルを安定的に供給することのできるウエットタオル供給装置の提供。【解決手段】蓋部と本体部を有する２槽型ウエットタオル供給装置であって、ミシン目を施された連続シートタオルロール収納槽、タオルロールから引き出された連続シートタオルを温水槽に導入するガイドテンションローラー、タオルロールから引き出された連続シートタオルに温水を付与する温水槽、温水槽中に連続シートタオルを押込む温水テンションローラー、温水槽で付与された連続シートタオルの水分量を適量に制御する水分絞りローラー、適量の温水が付与された連続シートタオルを取り出す開口部及び適量の温水が付与された連続シートタオルをミシン目間隔にカットするカット板を有することを特徴とするウエットタオル供給装置。【選択図】図１
2006223455.tif 000002
【特許請求の範囲】
【請求項１】
蓋部と本体部を有する２槽型ウエットタオル供給装置であって、ミシン目を施された連続シートタオルのタオルロールを収納するタオルロール収納槽、タオルロールから引き出された連続シートタオルを温水槽に導入する収納槽と温水槽の間に設けられたガイドテンションローラー、タオルロールから引き出された連続シートタオルに温水を付与する温水槽、温水槽中に連続シートタオルを押込む温水テンションローラー、温水槽で付与された連続シートタオルの水分量を適量に制御する水分絞りローラー、適量の温水が付与された連続シートタオルを取り出す開口部及び適量の温水が付与された連続シートタオルをミシン目間隔にカットするカット板を有することを特徴とするウエットタオル供給装置。
【請求項２】
タオルロール収納槽が、テーパー底槽であることを特徴とする請求項１に記載のウエットタオル供給装置。
【請求項３】
温水テンションローラーが、ウエットタオル供給装置の蓋部内側に固定されていることを特徴とする請求項１又は２に記載のウエットタオル供給装置。
【請求項４】
水分絞りローラーが、本体部と蓋部内側に各々一個ずつ設置され、使用時に合体されて一対の加圧ローラーとなることを特徴とする請求項１〜３のいずれか１項に記載のウエットタオル供給装置。
【請求項５】
温水槽が、取り外し自由な容器で構成され、保温断熱材層で保温されてなることを特徴とする請求項１〜４のいずれか１項に記載のウエットタオル供給装置。
【請求項６】
開口部が、容器本体の正面上部に設けられていることを特徴とする請求項１〜５のいずれか１項に記載のウエットタオル供給装置。
【請求項７】
連続シートタオルのミシン目が、連続シートタオルの幅方向に１〜３ｍｍの長さの繋がりを９〜１２箇所を残すようにパーフォレーションを施したミシン目であることを特徴とする請求項１〜６のいずれか１項に記載のウエットタオル供給装置。
【請求項８】
ミシン目を施された連続シートタオルのミシン目が、５〜１５ｍｍ間隔の２〜３本からなるカットゾーンを形成するように施されていることを特徴とする請求項１〜７のいずれか１項に記載のウエットタオル供給装置。
【発明の詳細な説明】
【技術分野】
【０００１】
本発明は、手動式のウエットタオル供給装置に関し、詳しくは、常に加湿、加温された暖かい状態のウエットタオルを供給することができる手動式ウエットタオル供給装置に関する。
【背景技術】
【０００２】
ティッシュペーパーを加湿状態に保持したウェットティッシュは、手や物の汚れを拭き取るペーパタオルとして重宝されている。そして、該ウェットティッシュは、一般に湿潤状態のティッシュペーパーを湿度保持機能の高い構造の容器中に重ねて収納し、小さな開口部から一枚づつ順次引き抜くような構造が採用されている。
従来、樹脂製等の容器の本体内に収納されている水、又は化粧品等の液体で湿潤状態にしたウエットティッシュは、必要時に容器本体の蓋部に設けたティッシュ取り出し孔からその都度取り出し、おてふき用や赤ちゃんのおしりふき用として使用されているが、このようなウエットティッシュでは加熱したりすることが不可能であり、特に冬場において病人等に使用する場合などは、湿潤されている分だけ余計に冷たく感じられてしまい、非常に使用勝手が悪いという問題があった。
【０００３】
このような問題を解決するものとして、ウエットティッシュの加熱装置が検討されてきた。例えば、ウエットティッシュを収納したティッシュケースを収納可能とした内容器と、内容器を収納し、ウエットティッシュを加温するヒータを有する外ケースからなるウエットティッシュの加温装置（例えば、特許文献１参照。）、ウエットティッシュを収納する容器室と、水タンク内に熱源を配して蒸気を生じる蒸気発生部と、水タンクに連通してウエットティッシュの一部に蒸気を吹きかける噴出管からなるウエットティッシュの加温容器（例えば、特許文献２参照。）、加熱状態のみならず、冷却状態をも保つことができる発明として、ウエットティッシュを収納する容器と、容器本体内に設けられた保温部材からなるウエットティッシュ用容器（例えば、特許文献３参照。）等が提案されている。
また、容器内にウエットティッシュなどの水分を含ませたシートを収容し、容器の蓋に形成されるティッシュのシート取出し開口で余分な水分が絞られ、一枚一枚取出すウエットティッシュの保温・保冷装置（例えば、特許文献４参照。）、加温するヒーターを設けた上面開口の内容器にペーパータオルを溶液と共に入れ、蓋の一部にペーパータオルを絞りながら取り出す口を設けたペーパータオルの加温湿潤装置（例えば、特許文献５参照。）が開示されている。
さらに、容器内で折畳み状態で薬液に浸した所定間隔にミシン目を有す連続シートを、加圧ローラによって余分な水分を絞り、折畳み状態からの巾のままシート取出し口から引出し、ミシン目に沿って引き裂くことによりシート片として取出すペーパータオル（例えば、特許文献６参照。）がある。
【０００４】
しかしながら、上記のような発明は、ウエットティッシュやウエットタオルを加熱するためにはヒータ等を熱源とするため電源を必要とし、さらに持ち運びが必ずしも自由でないため使用場所が限定されるという問題点を有している。また、容器内においてウエットティッシュやウエットタオルをどぶ漬けにしているため、長時間漬けられていたシート自体が水分により弱くなったり、細菌の繁殖をむしろ助長するような状況になり衛生的でないという問題があり、さらに装置によっては、取り出したティッシュ等を元の幅に広げて使用するという使い勝手がよくないものがあった。
【特許文献１】特開平９−６３７４８号公報
【特許文献２】特開平８−２４１５７号公報
【特許文献３】特開平８−１８３５７２号公報
【特許文献４】特開平１１−１９３０７４号公報
【特許文献５】特開平９−３７９８８号公報
【特許文献６】特開２００３−２００９３９号公報
【発明の開示】
【発明が解決しようとする課題】
【０００５】
本発明は、上記のような問題点に鑑み、持ち運びが自由にでき、電源設備の無いところにおいても使用でき、常に加湿、加温された暖かい状態の衛生的なウエットタオルを安定的に供給することのできる簡便なウエットタオル供給装置を提供することを目的とする。
【課題を解決するための手段】
【０００６】
本発明者は、上記課題を解決するために鋭意検討した結果、タオルロールを収納するタオルロール収納槽とタオルロールに温水を付与する温水槽を別にした２槽式にして、供給時に連続シートタオルを温水槽を潜らせて、ウエットタオル化する方法が、持ち運びが自由にでき、電源設備の無いところにおいても使用でき、常に加湿、加温された暖かい状態の衛生的なウエットタオルを安定的に供給することのできることを見出し本発明を完成した。
【０００７】
すなわち、本発明の第１の発明によれば、蓋部と本体部を有する２槽型ウエットタオル供給装置であって、ミシン目を施された連続シートタオルのタオルロールを収納するタオルロール収納槽、タオルロールから引き出された連続シートタオルを温水槽に導入する収納槽と温水槽の間に設けられたガイドテンションローラー、タオルロールから引き出された連続シートタオルに温水を付与する温水槽、温水槽中に連続シートタオルを押込む温水テンションローラー、温水槽で付与された連続シートタオルの水分量を適量に制御する水分絞りローラー、適量の温水が付与された連続シートタオルを取り出す開口部及び適量の温水が付与された連続シートタオルをミシン目間隔にカットするカット板を有することを特徴とするウエットタオル供給装置が提供される。
【０００８】
本発明の第２の発明によれば、第１の発明において、タオルロール収納槽がテーパー底槽であることを特徴とするウエットタオル供給装置が提供される。
【０００９】
本発明の第３の発明によれば、第１又は２の発明において、温水テンションローラーがウエットタオル供給装置の蓋部内側に固定されていることを特徴とするウエットタオル供給装置が提供される。
【００１０】
本発明の第４の発明によれば、第１〜３のいずれかの発明において、水分絞りローラーが、本体部と蓋部内側に各々一個ずつ設置され、使用時に合体されて一対の加圧ローラーとなることを特徴とするウエットタオル供給装置が提供される。
【００１１】
本発明の第５の発明によれば、第１〜４のいずれかの発明において、温水槽が、取り外し自由な容器で構成され、保温断熱材層で保温されてなることを特徴とするウエットタオル供給装置が提供される。
【００１２】
本発明の第６の発明によれば、第１〜５のいずれかの発明において、開口部が、容器本体の正面上部に設けられていることを特徴とするウエットタオル供給装置が提供される。
【００１３】
本発明の第７の発明によれば、第１〜６のいずれかの発明において、連続シートタオルのミシン目が、連続シートタオルの幅方向に１〜３ｍｍの長さの繋がりを９〜１２箇所を残すようにパーフォレーションを施したミシン目であることを特徴とするウエットタオル供給装置が提供される。
【００１４】
本発明の第８の発明によれば、第１〜７のいずれかの発明において、ミシン目を施された連続シートタオルのミシン目が、５〜１５ｍｍ間隔の２〜３本からなるカットゾーンを形成するように施されていることを特徴とするウエットタオル供給装置が提供される。
【発明の効果】
【００１５】
本発明のウエットタオル供給装置によれば、持ち運びが自由にでき、電源設備の無いところにおいても使用でき、常に加湿、加温された暖かい状態の衛生的なウエットタオルを簡便に、かつ安定的に供給することができる。
【発明を実施するための最良の形態】
【００１６】
本発明は、蓋部と本体部を有する２槽型ウエットタオル供給装置であって、ミシン目を施されたタオルロールを収納するタオルロール収納槽、タオルロールから引き出された連続シートタオルを温水槽に導入する収納槽と温水槽の間に設けられたガイドテンションローラー、タオルロールから引き出された連続シートタオルに温水を付与する温水槽、温水槽中に連続シートタオルを押込む温水テンションローラー、温水槽で付与された水分を適量に制御する水分絞りローラー、及び適量の温水が付与された連続シートタオルをミシン目間隔にカットするカット板を有することを特徴とするウエットタオル供給装置であり、この装置を用いて、常に加湿、加温された暖かい状態の衛生的なウエットタオルを簡便に供給することができる。図面を参照して、以下に説明する。
【００１７】
本発明のウエットタオル供給装置の概略構成を図１〜図６により説明する。図１は本発明の一例のウエットタオル供給装置の蓋部を開いた状態の外観斜視図であり、図２は蓋部を閉めた状態の平面図であり、図３は本体部の平面図であり、図４は使用状態の側部断面を説明する図であり、図５はカット板の取り付け位置を説明する図であり、図６はカット板を説明する図である。
図１〜６において、ウエットタオル供給装置１の基本構造は、容器本体部分２、蓋部分３、開口部４、ロール収納槽５、温水槽６、カット板７、ロール収納槽と温水槽を隔てる隔壁８、ガイドテンションローラー１１、温水テンションローラー１２、絞りローラ１３及び１４、ガイド板１５から構成される。
【００１８】
蓋部分３は、容器本体後部でフラットヒンジ２０等で開閉自由に固定され、使用時には正面部でラッチファスナー２１等で容器本体部分２とロッキングして蓋を閉じた状態で使用する。
【００１９】
上記基本構造を有する本発明のウエットタオル供給装置１を、該ウエットタオル供給装置を用いるウエットタオルの供給プロセスで説明する。タオルロール収納槽５に設けられたタオルロール１００から引き出された連続シートタオル１０１は、テンションロール１１を経て、ガイド板１５と温水テンションロール１２で方向を制御されて温水槽６中の温水６２に導入される。温水を十分に含んだ連続シートタオル１０３は、絞りローラ１３、１４で含温水量を制御された連続シートタオル１０４とされ、容器本体の正面上部に設けられた開口部４から手動にて引き出され、開口部４の出口に設けられたカット板７の端で予め連続シートタオルに設けられたミシン目の間隔でカットされ所望の長さの温水を含んだウエットタオル１０５として供給される。
【００２０】
タオルロール収納槽５は、２枚の底部支持板５１で底部がテーパーをもつように形成されていることが好ましく、タオルロール１００は、底部支持板の２ヶ所で接点を有するため回転し易く、かつ安定して回転するようになる。したがって、コアレスのタオルロールであっても、コアを有するロールバー方式のタオルロールであっても、何ら支障なく最後まで使用することができる。
【００２１】
タオルロール１００から引き出された連続シートタオル１０１は、ガイドテンションロラー１１を経て、隣の温水槽６中の温水６２中に導入される。ガイドテンションローラー１１は、タオルロール収納槽５と温水槽６の間の隔壁８上に回転自由に設けられ、タオルロール１００からの連続シートタオル１０１の引き出しを容易にする機能を有する。ガイドテンションローラー１１を経た連続シートタオル１０１は、ガイド板１５で引き出される方向を下方に向くようにされる。ガイド板１５は、蓋部３を締めて使用する際にガイドテンションローラー１１で引き出される連続シートタオル１０１の上部の位置になるように蓋部３の内側に固定される。なお、同時に温水槽６からの湿気がロール収納槽５に入り込み難いように、ガイド板１５の内側及びガイドテンションロラー１１の周りにシール部材１６を設けるように固定したものが好ましい。
【００２２】
温水槽６に導入された連続シートタオルは、温水テンションローラー１２で温水６２中で十分に含水するように内部まで引き込まれる。温水テンションローラー１２は、回転自由にその固定棒１７で蓋部３の内側に固定されている。したがって、蓋部３を開き、タオルロール１００や、温水６２を交換する際は、連続シートタオル１０１は、温水槽内部に押込まれず、蓋部３を閉じた使用時のみ連続シートタオルを温水槽中に押込めるようになっており、連続シートタオルが多量の含水により強度が低下することを防ぐことができる。
【００２３】
温水槽６の周りは、保温断熱材６３が設けられ、温水槽６内の温水６２の温度を長時間保つことができるようにされている。
また、温水槽６は、容器本体部２から着脱自在になるようにされており、温水槽６中の温水６２の温度が低くなった場合には、蓋部３を開き、温水槽６の内部に設けられた取っ手（図示せず）を用いて容器本体部２から取り出して、内部の冷えた水を捨て、新たな温水に入れ替えることが容易にできる。さらに、目的用途においては、温水槽６に芳香剤、殺菌剤、滅菌剤、抗菌剤、洗剤等の薬液を導入したり、冷水を導入したりするように、容易に内部の液を変更することもできるため、簡便に多目的に使用できるという特徴を有する。
【００２４】
温水槽６から引き出された連続シートタオル１０３は、絞りローラー１３、１４で含水量を調整される。絞りローラーの１３は、アジャスターを内蔵した固定台１８で蓋部３の内側に固定され、絞りローラー１４は、アジャスターを内蔵した固定台１９で温水槽の内側上部に固定され、両アジャスターで絞りローラー１３と１４の間隔を調整できるようにされ、使用時に蓋部３を容器本体部２に締め付けた時のみ、合体される一対の加圧ローラーとなる。絞りローラー１３、１４からなる加圧ローラは、連続シートタオル１０３を両側より挟着し、含水量の調節を行う。絞り手段を一対のローラとすることにより、ローラの加圧作用により適度の絞りを行い、適正な水分にいつも確保することができ、かつ最初の含水連続シートタオルの引出しを容易にすることができる。
【００２５】
絞りローラー１３、１４を経て、含水量が制御されて引き出された連続シートタオル１０４は、容器本体１正面上部に設けられた開口部４の出口側に設けられたカット板７の端７１で所定長さにカットされ、ウエットタオル１０５となる。カット板７は、図５に示すように容器本体部２側に設けても良く、開口部の位置に合う蓋部３側に設けても良い。図５の（ａ）はカット板７が容器本体２側に支持板７４の上に取り付けられた状態を説明する側面の開口部の部分拡大断面図であり、図５の（ｂ）はカット板７が蓋部３側に支持板７４の下に取り付けられた状態を説明する側面の開口部の部分拡大断面図である。
【００２６】
カット板７の形状は、特に限定されず、例えば、図６の（ａ）〜（ｃ）に一例を示すように、その端７１側には連続シートタオルの端を手で掴み易いようにするガイド窪み７２とミシン目に沿ってカットし易いようにするための凹凸７３を設ける形状が好ましい。ガイド窪み７２と、凹凸７３を設けることにより、連続タオルシートタオル１０４を、開口部４より、手で引き出し、連続シートタオルのミシン目がカット板７の端７１に合致するところまで引き出し容易にカットすることができる。カット板が容器本体部２側に設けてある場合は、下方に向かう角度で引っ張ることにより容易にカットでき、温かなウエットタオル１０５を得ることができる。また、カット板が蓋部３側に設けてある場合は、上方に向かう角度で引っ張ることにより容易にカットでき、温かなウエットタオル１０５を得ることができる。カット板７の端７１は、連続シートタオルに付されたミシン目の形状にもよるが、特に刃のような形状にすることもなく、単に凹凸が形成されているだけで容易に連続シートを切断できる。
図６の（ａ）においては、端７１が直線状の形状を示し、図６の（ｂ）及び（ｃ）では端７１が楕円状の形状を示す。また、図６の（ｃ）では、ガイド窪み７２が２箇所設けた例を示す。端７１が楕円状であると、連続タオルシートのミシン目の一ヶ所でも凹凸７３に当たると容易にカットできる特徴を有し、ガイド窪み７２が２箇所存在すると、両手で連続シートを引き出すことができるという特徴を有する。
図６の（ｂ）及び（ｃ）で示す楕円状の形状のカット板は、カット板が蓋部３側に設けてある場合に用いるとより容易にカットできる。
【００２７】
本発明のウエットタオル供給装置１は、前述のように容器本体部２と蓋部３を有し、温水槽６内の温水６２を交換したり、シートロール１００を交換したりする際は、蓋部３を開けるが、その際、蓋部３の内側に固定された温水テンションローラー１２からのしずくがシートロール等に垂れ落ちないようにロール収納部５の上にカバーを設けることもできる。また、タオルロール交換時には片手で蓋部３を開け、もう一方の手でタオルロール１００を容易に交換できるところにも特徴がある。
【００２８】
本発明のウエットタオル供給装置においては、上述のようにタオルロールから引き出した連続シートタオルを、使用時にのみ、そのまま温水等に引き込み含水させたものを取り出して所定間隔にカットして用いることができるため、ロール幅の帯状ウエットタオルが容易に得られ、従来技術のような元の幅に広げて使用するというわずらわしさがなく、また、連続シートを二つ折りにして使用することにより、容易に広幅の帯状ウエットタオルを得ることができるという特徴を有する。
【００２９】
また、タオルロール１００は、予め連続シートタオルに所定間隔のミシン目を施した連続シートのロール巻きを用いる。連続シートタオルに施すミシン目は、特に限定されないが、２〜３本のミシン目をほどこしたものが好ましい。例えば、図７に示すように所定の間隔毎に直線の３本のミシン目１１０、１１０’、１１０”を５〜１０ｍｍ間隔に施したカットゾーンを形成させたものが好ましい。１１０、１１０’、１１０”の２〜３本のミシン目から構成されるカットゾーンを形成させることにより、カット板７の端で含水した連続シートタオルを切り取るタイミングを最初のミシン目１００で失しても、次の１１０’または１１０”で切り取ることができ、連続シートの切りそびれが生ずることもなく常に所定の長さのウエットタオルを得ることができ、不必要な長さのウエットタオルを形成する恐れがなくなり、非常に経済的である。また、それぞれのミシン目のパターンは、特に、制限されないが、連続シートの幅方向に１〜３ｍｍの長さの繋がりを９〜１２箇所を残すようにパーフォレーションを施す方法が好ましい。このようなミシン目により、含水された連続シートは、単に長さ方向に引っ張るだけでは切断されず、カット板７の端７１に当てて軽く下方あるいは上方の方向に引っ張ることにより容易に切断できる。
【００３０】
タオルシートの材質としては、レーヨン、コットン、パルプ、ポリオレフィン等を主原料とする不織布または紙が好ましい。
【００３１】
なお、本発明のウエットタオル供給装置は、蓋部の上側等に持ち手１０を設けることにより、持ち運び自由にすることができる。本発明のウエットタオル供給装置の材質は、従来公知の部品等を組み合わせて用いることができるが、持ち運び自由にする点からより軽量の材質からなる部品から構成されたものが好ましい。また、本発明のウエットタオル供給装置の大きさは、特に限定されず、使用目的において適宜設定される。
【産業上の利用可能性】
【００３２】
本発明のウエットタオル供給装置は、持ち運びが自由にでき、電源設備の無いところにおいても使用でき、常に加湿、加温された暖かい状態の帯状で衛生的なウエットタオルを安定的に供給することができるので、病院等で患者等の体を拭く際に、看護人が各患者の側まで本装置を持って行き、手軽に操作を行なうことができる。
【図面の簡単な説明】
【００３３】
【図１】本発明のウエットタオル供給装置の一例の蓋部を開いた状態の正面側からの外観斜視図である。
【図２】図１のウエットタオル供給装置の蓋部を閉めた状態の平面図である。
【図３】図１のウエットタオル供給装置の容器本体部の平面図である。
【図４】図１のウエットタオル供給装置の使用状態の側面断面を説明する図である。
【図５】カット板の取り付け位置を説明する図である。
【図６】カット板の形状を説明する図である。
【図７】タオルロールのミシン目を説明する図である。
【符号の説明】
【００３４】
１  ウエットタオル供給装置
２  容器本体部
３  蓋部
４  開口部
５  ロール収納槽
６  温水槽
７  カット板
８  隔壁
１０  持ち手
１１  ガイドテンションロール
１２  温水テンションロール
１３、１４  絞りロール
１００  タオルロール
【図１】
2006223455.tif 000003
【図２】
2006223455.tif 000004
【図３】
2006223455.tif 000005
【図４】
2006223455.tif 000006
【図５】
2006223455.tif 000007
【図６】
2006223455.tif 000008
【図７】
2006223455.tif 000009